(57)【要約】【課題】説明の部分と操作器具とを見比べる手間を低減し、操作の簡便化を図るとともに、操作器具を安定して収納する。【解決手段】操作器具セット１０ａは、穿刺ペン１２及び血糖計１６と、平面視で穿刺ペン１２及び血糖計１６と略同形状で、これらの穿刺ペン１２及び血糖計１６を保持する有底の第１姿穴４０及び第２姿穴４４を備える収納体３０と、収納体３０の上面を覆うカバー３２と、カバー３２を開けた状態で見開き可能に接続された複数の頁体３６とを有する。頁体３６には、上面の側から順に穿刺ペン１２及び血糖計１６の取り扱いに係る説明が、取り扱い順序に応じて表示されている。【選択図】図１
2008228885.tif 000002
【特許請求の範囲】
【請求項１】
操作器具と、
平面視で前記操作器具と略同形状で、該操作器具を保持する有底の姿穴を備える収納体と、
前記収納体で前記姿穴が開口する上面を覆うカバーと、
前記カバーを開けた状態で、前記収納体の上面に対して見開き可能に接続された１以上の頁体と、
を有し、
前記頁体の少なくとも１枚の上面には前記操作器具の取り扱いに係る説明が表示されていることを特徴とする操作器具セット。
【請求項２】
請求項１記載の操作器具セットにおいて、
前記頁体は複数枚設けられ、上面の側から順に前記操作器具の取り扱い順序に応じた説明が表示されていることを特徴とする操作器具セット。
【請求項３】
請求項１又は２記載の操作器具セットにおいて、
前記姿穴は、前記操作器具の操作部または表示部が上面側となるように形成されていることを特徴とする操作器具セット。
【請求項４】
請求項１〜３のいずれか１項に記載の操作器具セットにおいて、
前記頁体の少なくとも１枚は、平面視で前記姿穴の少なくとも一部の三方を覆う切欠きを有することを特徴とする操作器具セット。
【請求項５】
請求項４記載の操作器具セットにおいて、
前記収納体は、前記姿穴の周囲で、前記切欠きのない三方を囲い、前記切欠きの両端の位置まで達する第１枠表示を有し、
前記頁体の少なくとも一枚は、前記切欠きのない箇所で、前記操作器具の取り扱い順序に応じた説明を囲い、前記切欠きの両端の位置まで達する第２枠表示を有し、
前記第１枠表示と前記第２枠表示は、平面視で連続するように表示されていることを特徴とする操作器具セット。
【請求項６】
請求項４又は５記載の操作器具セットにおいて、
前記操作器具は、アタッチメントを装着して使用するものであり、
前記収納体は、前記アタッチメントを保持する有底のアタッチメント穴を備え、
前記アタッチメント穴は、平面視で前記切欠きによって三方が覆われる位置に設けられていることを特徴とする操作器具セット。
【請求項７】
請求項１〜３のいずれか１項に記載の操作器具セットにおいて、
前記頁体の少なくとも１枚は、前記姿穴に保持された前記操作器具が視認可能なように平面視で前記姿穴を露呈する露呈孔を備えることを特徴とする操作器具セット。
【請求項８】
請求項１〜７のいずれか１項に記載の操作器具セットにおいて、
前記操作器具は、アタッチメントを装着して使用するものであり、
前記アタッチメントを複数収納するアタッチメント収納部を有することを特徴とする操作器具セット。
【請求項９】
請求項８記載の操作器具セットにおいて、
前記アタッチメント収納部は、前記カバーの内側に設けられた袋部であることを特徴とする操作器具セット。
【請求項１０】
請求項８記載の操作器具セットにおいて、
前記アタッチメント収納部は、前記収納体に設けられ、上面に開口する収納穴であることを特徴とする操作器具セット。
【請求項１１】
請求項１〜１０のいずれか１項に記載の操作器具セットにおいて、
前記操作器具は異なる種類の複数が設けられ、前記姿穴は各前記操作器具に応じて個別に設けられていることを特徴とする操作器具セット。
【請求項１２】
請求項１〜１１のいずれか１項に記載の操作器具セットにおいて、
前記操作器具は異なる種類の複数が設けられ、
各前記操作器具は、異なるアタッチメントを装着して使用するものであり、
前記操作器具と前記アタッチメントは、対応する組の少なくとも一部が同色に設定され、異なる組の少なくとも一部が異色に設定されていることを特徴とする操作器具セット。
【請求項１３】
請求項１〜１２のいずれか１項に記載の操作器具セットにおいて、
前記カバーは、前記収納体に接続された一辺で折り曲げられて開閉可能に構成されていることを特徴とする操作器具セット。
【請求項１４】
請求項１〜１３のいずれか１項に記載の操作器具セットにおいて、
前記姿穴は、前記操作器具の幅よりも浅く、
前記カバーは、閉じたときに、前記操作器具の前記姿穴から突出した部分を保持する補助姿穴を有することを特徴とする操作器具セット。
【請求項１５】
請求項１〜１４のいずれか１項に記載の操作器具セットにおいて、
前記頁体の隣接する２枚に接続され、該隣接する２枚の前記頁体を開いたときに、これらの頁体に対して傾斜し、又は起立する補助頁を有することを特徴とする操作器具セット。
【請求項１６】
機能の異なる第１操作器具及び第２操作器具と、
第１操作器具に装着される第１アタッチメントと、
第２操作器具に装着される第２アタッチメントと、
を有する操作器具セットであって、
前記第１操作器具と前記第１アタッチメントとの組は少なくとも一部が第１の色に設定され、
前記第２操作器具と前記第２アタッチメントとの組は、少なくとも一部が前記第１の色とは異なる第２の色に設定されていることを特徴とする操作器具セット。
【請求項１７】
請求項１６記載の操作器具セットにおいて、
さらに、第１操作器具、第２操作器具、第１アタッチメント及び第２アタッチメントに係る説明が表示された頁体を有し、
前記頁体で、前記第１操作器具と前記第１アタッチメントとの組に係る説明は、少なくとも一部が前記第１の色で表示され、又は前記第１の色の枠で囲まれて表示され、
前記頁体で、前記第２操作器具と前記第２アタッチメントとの組に係る説明は、少なくとも一部が前記第２の色で表示され、又は前記第２の色の枠で囲まれて表示されていることを特徴とする操作器具セット。
【発明の詳細な説明】
【技術分野】
【０００１】
本発明は、操作器具セットに関し、特に、操作器具と、該操作器具を保持する収納体とを有する操作器具セットに関する。
【背景技術】
【０００２】
糖尿病等の患者の血糖値を計測する際は、血液を微量出すための穿刺ペン及び血液に接触させて計測を行う血糖計が用いられる。穿刺ペンは、使い捨て部品である穿刺針が装着されて穿刺を行う。血糖計は、試薬が含浸された試験片が装着されて計測を行う。
【０００３】
このような穿刺ペン、血糖計、穿刺針及び試験片は、使いやすいように相当に工夫がなされており、マニュアルを読めば通常は問題なく使用することができる。また、穿刺ペン、血糖計、穿刺針及び試験片は、一連の計測で順次用いられるものであることから、一式が１つの収納体に収納され、使用の便宜が図られている。
【０００４】
一方、穿刺ペン及び血糖計に限らず、人が操作を行う必要のある操作器具にはマニュアルが設けられており、該操作器具が使いやすいように工夫がなされている。
【０００５】
例えば、特許文献１記載の取り扱い説明書では、配線ステップと、ページ上のエリアとを対応付けて、操作を分かりやすく説明している。特許文献２記載の幼児用絵本では、衣服に模した紙辺を用いながら、幼児が衣服の着方を学習することができるように工夫されている。特許文献３記載の幼児用絵本では、ページのタブに文字を表示して、複数ページのタブにより単語が表されるようにして幼児教育に利用することが記載されている。特許文献４記載の教育用絵本では、ページに切り抜き型が設けられており、該切り抜き型に関連した挿絵が表示されている。
【０００６】
【特許文献１】特許第３０８２４２２号公報
【特許文献２】特許第２７４９２８７号公報
【特許文献３】特許第３１００３５９号公報
【特許文献４】特公平３−６７２７１号公報
【発明の開示】
【発明が解決しようとする課題】
【０００７】
血糖値計測を初めて行う者や高齢者にとっては、穿刺ペン、血糖計、穿刺針及び試験片をどの順序でどのように使うか分からない場合があり、マニュアルを参照しながら一連の手順を行うことになる。
【０００８】
この際、穿刺ペン、血糖計、穿刺針及び試験片が収納された収納体とは別にマニュアルを用意し、マニュアルを見開きながら次に使うべき器具を収納体の中から選択して操作を行わなければならない。この場合、マニュアルに表示された内容と収納体の中身とを見比べながら器具を特定する必要があり、初心者や高齢者にとっては必ずしも簡便な作業ではない。また、マニュアルを収納体と別に保管していると、該マニュアルを紛失しやすい。
【０００９】
さらに、穿刺ペンには穿刺針のみが装着可能で試験片は装着不可能であり、血糖計には試験片のみが装着可能で穿刺針は装着不可能であるが、初心者や高齢者にとっては、どの操作器具にどのアタッチメントを装着すればよいのか即座に理解できない場合もあり得る。
【００１０】
本発明はこのような課題を考慮してなされたものであり、初心者又は高齢者であっても操作器具の操作を一層簡便に行うことのできる操作器具セットを提供することを目的とする。
【課題を解決するための手段】
【００１１】
本発明に係る操作器具セットは、操作器具と、平面視で前記操作器具と略同形状で、該操作器具を保持する有底の姿穴を備える収納体と、前記収納体で前記姿穴が開口する上面を覆うカバーと、前記カバーを開けた状態で、前記収納体の上面に対して見開き可能に接続された１以上の頁体とを有し、前記頁体の少なくとも１枚の上面には前記操作器具の取り扱いに係る説明が表示されていることを特徴とする。
【００１２】
このように、操作器具を保持する収納体と取り扱いに係る説明が表示された頁体とが一体的に構成されていることにより、説明の部分と操作器具とを見比べる手間が大幅に低減され、初心者又は高齢者であっても操作器具の操作を簡便に行うことができる。
【００１３】
また、操作器具は姿穴によって保持されるとともに、上面はカバーで覆われ、安定して収納することができる。姿穴は操作器具の保護作用をも奏する。
【００１４】
この場合、前記頁体は複数枚設けられ、上面の側から順に前記操作器具の取り扱い順序に応じた説明が表示されていてもよい。これにより、頁体を１枚ずつめくりながら正しい手順で操作を行うことができる。
【００１５】
前記姿穴は、前記操作器具の操作部または表示部が上面側となるように形成されていてもよい。これにより、頁体の操作に係る説明との対比が一層容易となり、しかも一部の操作を操作器具を姿穴に保持させたまま安定して行うことができる。
【００１６】
前記頁体の少なくとも１枚は、平面視で前記姿穴の少なくとも一部の三方を覆う切欠きを有してもよい。これにより、該頁体に表示されている説明が姿穴に保持された操作器具の説明であることが操作者に対して明確に示される。
【００１７】
前記収納体は、前記姿穴の周囲で、前記切欠きのない三方を囲い、前記切欠きの両端の位置まで達する第１枠表示を有し、前記頁体の少なくとも一枚は、前記切欠きのない箇所で、前記操作器具の取り扱い順序に応じた説明を囲い、前記切欠きの両端の位置まで達する第２枠表示を有し、前記第１枠表示と前記第２枠表示は、平面視で連続するように表示されていてもよい。このような第１枠表示及び第２枠表示によれば、該頁体に表示されている説明が姿穴に保持された操作器具の説明であることが操作者に対して一層明確に示される。
【００１８】
前記操作器具は、アタッチメントを装着して使用するものであり、前記収納体は、前記アタッチメントを保持する有底のアタッチメント穴を備え、前記アタッチメント穴は、平面視で前記切欠きによって三方が覆われる位置に設けられていてもよい。これにより、該頁体に表示されている説明がアタッチメント穴に保持されたアタッチメントの説明であることが操作者に対して明確に示される。
【００１９】
なお、ここでいうアタッチメントとは、操作器具に直接的に装着されるものに限らず、例えば容器に格納された状態のものを含む。
【００２０】
前記頁体の少なくとも１枚は、前記姿穴に保持された前記操作器具が視認可能なように平面視で前記姿穴を露呈する露呈孔を備えていてもよい。このような露呈孔によれば、操作者は実物の操作器具が、あたかも頁体に印刷表示されているように認識することができ、該頁体に表示された説明と実物とを見比べる手間が大幅に低減され、操作器具の操作を簡便に行うことができる。また、操作器具に関する説明を直接的に理解することができる。
【００２１】
前記操作器具は、アタッチメントを装着して使用するものであり、前記アタッチメントを複数収納するアタッチメント収納部を有していてもよい。このようなアタッチメント収納部にアタッチメントを複数収納しておくことにより、アタッチメントを交換しながら操作器具を複数回使用することができる。
【００２２】
前記アタッチメント収納部は、前記カバーの内側に設けられた袋部であってもよい。前記アタッチメント収納部は、前記収納体に設けられ、上面に開口する収納穴であってもよい。
【００２３】
前記操作器具は異なる種類の複数が設けられ、前記姿穴は各前記操作器具に応じて個別に設けられていてもよい。これにより、複数の操作器具を収納することができるとともに、収納体に接続されている頁体の説明によりこれらの操作器具を簡便に区別して使用することができる。
【００２４】
前記操作器具は異なる種類の複数が設けられ、各前記操作器具は、異なるアタッチメントを装着して使用するものであり、前記操作器具と前記アタッチメントは、対応する組の少なくとも一部が同色に設定され、異なる組の少なくとも一部が異色に設定されていてもよい。
【００２５】
このような色の区別により、操作器具とアタッチメントとの対応が一層明確になり、アタッチメントの装着操作が容易となる。この場合、同色とは操作者が実質的に同系統の色として認識できる色であり、異色とは、実質的に異なる系統の色として認識できる色である。例えば、同色とはマンセル表色系の色相で１０色相以内、明度及び彩度で３以内の色であり、異色とはそれ以外の色である。
【００２６】
また、操作器具とアタッチメントは、全面が同じ色に設定されている必要はなく、対応する組で、視認しやすい箇所で、十分に識別可能な面積（例えば、全面積の５０％以上、又は姿穴に保持された状態で視認される面積の５０％以上）が同色に設定されていればよい。
【００２７】
前記カバーは、前記収納体に接続された一辺で折り曲げられて開閉可能に構成されていてもよい。このようなカバーは開閉が容易であり、しかも紛失しない。
【００２８】
前記姿穴は、前記操作器具の幅よりも浅く、前記カバーは、閉じたときに、前記操作器具の前記姿穴から突出した部分を保持する補助姿穴を有していてもよい。このような補助姿孔によれば、操作器具を一層確実に保持するとともに、一層確実に保護することができる。
【００２９】
前記頁体の隣接する２枚に接続され、該隣接する２枚の前記頁体を開いたときに、これらの頁体に対して傾斜し、又は起立する補助頁を有していてもよい。このような補助頁によれば、特定の説明を目立たせて表示させることができる。
【００３０】
また、本発明に係る操作器具セットは、機能の異なる第１操作器具及び第２操作器具と、第１操作器具に装着される第１アタッチメントと、第２操作器具に装着される第２アタッチメントとを有する操作器具セットであって、前記第１操作器具と前記第１アタッチメントとの組は少なくとも一部が第１の色に設定され、前記第２操作器具と前記第２アタッチメントとの組は、少なくとも一部が前記第１の色とは異なる第２の色に設定されていることを特徴とする。
【００３１】
このような色の区別により、操作器具とアタッチメントとの対応が明確になり、アタッチメントの装着操作が容易となる。つまり、初心者や高齢者であっても、どの操作器具にどのアタッチメントをを装着すればよいのか即座に理解でき、一連の操作をよりスムーズに行うことができる。
【００３２】
さらに、第１操作器具、第２操作器具、第１アタッチメント及び第２アタッチメントに係る説明が表示された頁体を有し、前記頁体で、前記第１操作器具と前記第１アタッチメントとの組に係る説明は、少なくとも一部が前記第１の色で表示され、又は前記第１の色の枠で囲まれて表示され、前記頁体で、前記第２操作器具と前記第２アタッチメントとの組に係る説明は、少なくとも一部が前記第２の色で表示され、又は前記第２の色の枠で囲まれて表示されていてもよい。
【発明の効果】
【００３３】
本発明に係る操作器具セットによれば、操作器具を保持する収納体と取り扱いに係る説明が表示された頁体とが一体的に構成されていることにより、説明の部分と操作器具とを見比べる手間が大幅に低減され、初心者又は高齢者であっても操作器具の操作を簡便に行うことができる。
【００３４】
また、操作器具は姿穴によって保持されるとともに、上面はカバーで覆われ、安定して収納することができる。姿穴は操作器具の保護作用をも奏する。
【発明を実施するための最良の形態】
【００３５】
以下、本発明に係る第１及び第２の実施形態を挙げ、添付の図１〜図１０を参照しながら説明する。
【００３６】
第１の実施形態に係る操作器具セット１０ａ及び第２の実施形態に係る操作器具セット１０ｂは、血糖値の計測に用いる穿刺ペン（操作器具）１２、該穿刺ペン１２に装着される穿刺針（アタッチメント）１４、血糖計（操作器具）１６、及び該血糖計１６に装着される試験片（アタッチメント）１８を収納するものである。先ず、これらの穿刺ペン１２、穿刺針１４、血糖計１６、試験片１８について説明する。
【００３７】
図１に示すように、穿刺ペン１２は、棒形状で、穿刺針１４を装着して穿刺を行い、血液を微量出すためのものである。穿刺針１４には先端キャップ２０が個別に装着されており、穿刺を行うときに取り外されて、穿刺ペン１２に装着される。
【００３８】
穿刺ペン１２は、穿刺針１４が装着されると内部のばねが圧縮された状態で保持され、穿刺ボタン１２ａを押すことにより圧縮が解除されて穿刺針１４の針本体１４ａが一瞬突出して皮膚を適度に穿刺することができる。この際の針本体１４ａの突出量は、ダイヤル１２ｂの操作により調整することができる。使用後の穿刺針１４は穿刺ペン１２から取り外されて、所定の方法によって廃棄される。
【００３９】
穿刺ペン１２、穿刺針１４及び先端キャップ２０は黄色（第１の色）であり、穿刺操作に係る同じ組に属するものであることを容易に認識可能になっている。なお、図１（及び後述する他の図）では、黄色を片ハッチングで示す。
【００４０】
図２に示すように、血糖計１６は、薄板形状で、試験片１８を装着して血糖値計測を行い、計測結果をモニタ１６ａに表示するためのものである。試験片１８は個包装体（アタッチメント）２２に個別に格納されており、計測を行うときに取り出されて、キャップ１６ｂを取り外した血糖計１６に装着され、血液が含浸される。キャップ１６ｂは本体に対してストラップで接続されている。試験片１８には血糖に対して特定の発色をする試薬が含まれている。個包装体２２は、円錐台形状である。
【００４１】
血糖計１６は、電源スイッチ１６ｃを一度押すとオンとなって自動的に計測を開始し、試験片１８に含浸された血液の発色の変化を検出し、所定の計算を行って得られた血糖値をモニタ１６ａに表示する。計測結果は内部のメモリに記録され、呼び出しボタン１６ｄの操作により計測結果の履歴を表示することができる。使用後の試験片１８は、レバー１６ｅの操作によって血糖計１６から取り外され、所定の方法によって廃棄される。
【００４２】
血糖計１６、試験片１８及び個包装体２２は緑色（第２の色）であり、穿刺操作後の血糖値計測操作に係る同じ組に属するものであることを容易に認識可能になっている。なお、図２（及び後述する他の図）では、緑色をクロスハッチングで示す。
【００４３】
このように、操作器具セット１０ａでは、機能の異なる組を黄色及び緑色という異なる色に設定して区別していることにより、操作器具（つまり穿刺ペン１２と血糖計１６）とアタッチメント（つまり穿刺針１４と試験片１８）との対応が明確になり、アタッチメントの装着操作が容易となる。つまり、つまり、初心者や高齢者であっても、どの操作器具にどのアタッチメントをを装着すればよいのか即座に理解でき、一連の操作をよりスムーズに行うことができる。
【００４４】
ここで、色の設定は、成型時の添加色素や印刷上の都合等から必ずしも完全に一致する色に設定することができない場合もあるが、操作者が実質的に同系統の色として認識できる色に設定されていればよい。また、黄色と緑色とは操作者が実質的に異なる系統の色として認識できる色に設定されていればよい。例えば、同色としてはマンセル表色系の色相で１０色相以内、明度及び彩度で３以内の色とし、異色としてはそれ以外の色に設定すればよい。
【００４５】
さらに、操作器具とアタッチメントは、全面が同じ色に設定されている必要はなく、対応する組で、視認しやすい箇所で、十分に識別可能な面積（例えば、全面積の５０％以上、又は第１姿穴４０、第２姿穴４４に保持された状態で視認される面積の５０％以上）が同色に設定されていればよい。
【００４６】
また、血糖計１６では、モニタ１６ａは液晶表示板であることから緑色に設定することは困難であり、該モニタ１６ａを除いた部分で十分に識別可能な面積が緑色に設定されていればよい。
【００４７】
次に、第１の実施形態に係る操作器具セット１０ａについて図３〜図６を参照しながら説明する。
【００４８】
図３に示すように、操作器具セット１０ａは、収納体３０と、該収納体３０の上面を覆うカバー３２と、収納体３０に対して左辺がバインダー３４によって接続された複数枚の頁体３６と、１つの穿刺ペン１２、１つの血糖計１６、複数の穿刺針１４及び複数の個包装体２２とを有する。
【００４９】
頁体３６は、カバー３２を開けた状態で１枚ずつ見開き可能なようにバインダー３４によって収納体３０の左端部に接続されている。頁体３６は１枚ずつ見開き可能であればよく、収納体３０に対して１辺で接続されている必要はなく、例えば左上部の一点を１つのリングで綴じておいてもよい。図３から明らかなように、頁体３６は適度に広い面積を有しており、高齢者にとっても見やすく、且つめくりやすい。
【００５０】
収納体３０は、側面視で小さい段付き形状、平面視で四角形状であって樹脂によって形成されている。収納体３０の手前側（矢印Ａ１方向）は側面視で厚くなっており、奥（矢印Ａ２方向）は薄くなっている。薄い部分には頁体３６が積層配置されている。
【００５１】
矢印Ａ１方向の厚い部分において、左側には穿刺ペン１２及び１つの穿刺針１４が第１姿穴４０及び第１アタッチメント穴４２によって保持されており、右側には血糖計１６及び１つの個包装体２２が第２姿穴４４及び第２アタッチメント穴４６によって保持されている。
【００５２】
第１姿穴４０及び第２姿穴４４は、平面視で穿刺ペン１２及び血糖計１６と略同形状で、これらの操作器具を保持可能な有底の穴である。第１姿穴４０及び第２姿穴４４は、穿刺ペン１２及び血糖計１６の操作部または表示部が上面側となるように形成されている。これにより、頁体３６の操作に係る説明との対比が一層容易となり、しかも穿刺ペン１２及び血糖計１６の一部の操作（例えば、呼び出しボタン１６ｄの操作）を保持させたまま安定して行うことができる。
【００５３】
第１姿穴４０及び第２姿穴４４は左右に並列して配置されており、穿刺ペン１２及び血糖計１６を横置きの向きで保持することができる。
【００５４】
第１姿穴４０及び第２姿穴４４の底面には、黄色の穿刺ペン１２の絵及び緑色の血糖計１６の絵が表示されており、該穿刺ペン１２及び血糖計１６を収納すべき場所であることが明示されている。
【００５５】
第１姿穴４０及び第２姿穴４４には、穿刺ペン１２及び血糖計１６の取り出しが容易なように指を入れる指穴４５がそれぞれ設けられている。
【００５６】
第１姿穴４０及び第２姿穴４４は、穿刺ペン１２及び血糖計１６の幅よりもやや浅く設定されている。第１姿穴４０及び第２姿穴４４によれば、穿刺ペン１２及び血糖計１６を安定して保持及び保護することができる。穿刺ペン１２及び血糖計１６の上面はカバー３２で覆われ、一層安定して収納及び保護することができる。
【００５７】
開いたカバー３２の矢印Ａ２方向には、平面視で穿刺ペン１２及び血糖計１６と略同形状の第１補助姿穴４８及び第２補助姿穴５０が設けられており、カバー３２は、閉じたときに、穿刺ペン１２及び血糖計１６の第１姿穴４０及び第２姿穴４４から突出した部分が嵌り込むように構成されている。第１補助姿穴４８及び第２補助姿穴５０によれば、穿刺ペン１２及び血糖計１６を一層確実に保持するとともに、一層確実に保護することができる。
【００５８】
第１アタッチメント穴４２は、穿刺針１４を載置可能な有底の穴である。該第１アタッチメント穴４２は、穿刺針１４を保持することが可能な姿穴であってもよい。第２アタッチメント穴４６は、円錐台形状の個包装体２２の略２／３が嵌合可能な径の有底穴であって、該個包装体２２を安定して保持することができる。
【００５９】
カバー３２は、収納体３０の一辺３０ａで折り曲げ可能に接続された開閉構造であり、穿刺ペン１２及び血糖計１６等を保護することができる程度に適度に硬質な構成である。カバー３２は開閉が容易であり、しかも収納体３０と一体であることから紛失しない。カバー３２において、収納体３０に対して接続された辺以外の三辺の縁には、垂直に起立したガード３２ａが設けられており、図４に示すように、カバー３２を閉じたときに収納体３０の側方を覆うことができる。図４から明らかなように、操作器具セット１０ａは、カバー３２を閉じると、１枚の薄板形状となり、例えば書籍と同様に本棚等に保管することができる。
【００６０】
図３に戻り、カバー３２は、内側の矢印Ａ１方向に前記の第１補助姿穴４８及び第２補助姿穴５０が設けられ、矢印Ａ２方向の左側に穿刺針１４を複数個収納可能な第１袋部（アタッチメント収納部）５２が設けられ、右側に個包装体２２を複数個収納可能な第２袋部（アタッチメント収納部）５４が設けられている。第１袋部５２及び第２袋部５４は、それぞれメッシュで構成されており、内部を視認可能である。第１袋部５２及び第２袋部５４は、ボタン又はチャック等により閉じられる。第１袋部５２及び第２袋部５４に穿刺針１４及び個包装体２２を複数収納しておくことにより、穿刺針１４及び試験片１８を交換しながら穿刺ペン１２及び血糖計１６を複数回使用することができる。
【００６１】
カバー３２における略中央部には、頁体３６に関する簡単な説明又は最初に行うべき準備等が記載されている。
【００６２】
頁体３６は、穿刺ペン１２、穿刺針１４、血糖計１６及び試験片１８を用いて血糖値の計測を行う手順に係る説明が表示されており、上面から順に手順にしたがって説明がなされている。つまり、操作者は、頁体３６を１枚ずつめくりながら正しい手順で操作を行うことができる。また、取り扱いに係る説明が表示された頁体３６と収納体３０とが一体的に構成されていることにより、説明の部分と操作器具とを見比べる手間が大幅に低減され、初心者又は高齢者であっても操作器具の操作を簡便に行うことができる。説明は、図解が多用されており、実物の穿刺ペン１２及び血糖計１６等とを対比しながらの操作が容易である。
【００６３】
頁体３６は、表面（つまり見開きで右側）に基本説明が表示されており、裏面（つまり見開き左側）に詳細説明、応用説明又は補足説明等が記載されている。
【００６４】
頁体３６には、端部に概略の操作手順を示す番号が表示されたタブ３６ａが設けられている。
【００６５】
頁体３６の矢印Ａ１方向端部の左部には、平面視で第１アタッチメント穴４２の三方（左右及び矢印Ａ２方向）を囲う第１切欠き５６が設けられており、矢印Ａ１方向端部の右部には、平面視で第２アタッチメント穴４６の三方（左右及び矢印Ａ２方向）を囲う第２切欠き５８が設けられている。
【００６６】
第１切欠き５６及び第２切欠き５８は左右に並列して設けられ、横長の同形状である。
【００６７】
第１切欠き５６は第１姿穴４０の矢印Ａ２方向に配置されており、第１姿穴４０に保持された穿刺ペン１２の長さと略等しく、操作者に対して、該穿刺ペン１２と第１アタッチメント穴４２に保持された穿刺針１４とを傘で覆うようなイメージを与えることができる。
【００６８】
第２切欠き５８は第２姿穴４４の矢印Ａ２方向に配置されており、第２姿穴４４に保持された血糖計１６の上端部の三方（左右及び矢印Ａ２方向）を囲っている。第２切欠き５８は、操作者に対して、血糖計１６と第２アタッチメント穴４６に保持された個包装体２２を傘で覆うようなイメージを与えることができる。
【００６９】
このような第１切欠き５６及び第２切欠き５８によれば、操作者は、頁体３６が穿刺ペン１２、穿刺針１４、血糖計１６及び個包装体２２に係る説明が表示されているものであることを一目で認識することができる。
【００７０】
収納体３０は、第１姿穴４０の周囲で、第１切欠き５６に面する方向以外の三方を囲い、第１切欠き５６の両端の位置まで達する黄色の台枠表示（第１枠表示）６０を有する。頁体３６の少なくとも一枚は、第１切欠き５６以外の箇所で、穿刺ペン１２、穿刺針１４及び先端キャップ２０の取り扱い順序に応じた説明を囲い、第１切欠き５６の両端の位置まで達する黄色の説明枠表示（第２枠表示）６２を有する。
【００７１】
台枠表示６０と説明枠表示６２は、平面視で連続するように表示されており、第１姿穴４０の穿刺ペン１２及び第１アタッチメント穴４２の穿刺針１４の全方位を囲うことになることから、その頁体３６に表示されている説明が穿刺操作における穿刺ペン１２、先端キャップ２０及び穿刺針１４に係る説明であることが操作者に対して明確に示される。また、台枠表示６０と説明枠表示６２は、黄色であることから穿刺ペン１２、先端キャップ２０及び穿刺針１４に係る説明であることが操作者に対して一層明確に示される。台枠表示６０と説明枠表示６２の色は、操作者が穿刺ペン１２、先端キャップ２０及び穿刺針１４と同系統の色であると認識できる色であればよい。
【００７２】
上記の通り、異なる種類の複数の操作器具について、その説明がそれぞれ視覚的に区別されるように構成され、又は表示されていることにより操作者は取り扱いを容易に理解することができる。
【００７３】
説明枠表示６２が表示されている頁体３６では、手順上の必要に応じて、使用する穿刺ペン１２が保持された第１姿穴４０及び（又は）穿刺針１４が保持された第１アタッチメント穴４２を指し示す矢印６４及び６６（図６参照）が表示されている。
【００７４】
穿刺操作は、一連の手順のうち最初に行われるものであることから、説明枠表示６２は、複数の頁体３６のうち比較的前側の頁に表示されている。
【００７５】
収納体３０は、第２姿穴４４の周囲で、第２切欠き５８に面する方向以外の三方を囲い、第２切欠き５８の両端の位置まで達する緑色の台枠表示（第１枠表示）６８を有する。頁体３６の少なくとも一枚は、第２切欠き５８以外の箇所で、血糖計１６、試験片１８及び個包装体２２の取り扱い順序に応じた説明を囲い、第２切欠き５８の両端の位置まで達する緑色の説明枠表示（第２枠表示）７０を有する。説明枠表示６２と説明枠表示７０は同一の頁に設けられていてもよく、図５に示すように、両者は接続されていてもよい。この場合、中央線Ｃが説明枠表示６２及び説明枠表示７０の機能を補完して、穿刺操作の説明と血糖値計測操作の説明とを区画することができる。
【００７６】
台枠表示６８と説明枠表示７０は、平面視で連続するように表示されており、第２姿穴４４の血糖計１６及び第２アタッチメント穴４６の個包装体２２の全方位を囲うことになることから、その頁体３６に表示されている説明が穿刺操作後の血糖計測操作における血糖計１６、個包装体２２及び試験片１８に係る説明であることが操作者に対して明確に示される。また、台枠表示６８と説明枠表示７０は、緑色であることから血糖計１６、個包装体２２及び試験片１８に係る説明であることが操作者に対して一層明確に示される。台枠表示６８と説明枠表示７０の色は、操作者が血糖計１６、試験片１８及び個包装体２２と同系統の色であると認識できる色であればよい。
【００７７】
血糖値計測操作は、一連の手順のうち穿刺操作後に行われるものであることから、説明枠表示７０は、複数の頁体３６のうち比較的後側の頁に表示されている。
【００７８】
このように、第１の実施形態に係る操作器具セット１０ａによれば、穿刺ペン１２及び血糖計１６を保持する収納体３０と取り扱いに係る説明が表示された頁体３６とが一体的に構成されていることにより、説明の部分と操作器具とを見比べる手間が大幅に低減され、初心者又は高齢者であっても操作器具の操作を簡便に行うことができる。また、穿刺ペン１２及び血糖計１６は、第１姿穴４０及び第２姿穴４４によって保持されるとともに上面はカバー３２で覆われ、安定して収納することができる。
【００７９】
また、操作器具セット１０ａによれば、穿刺操作に用いる穿刺ペン１２と血糖値計測に用いる血糖計１６とを第１姿穴４０及び第２姿穴４４に保持しており、穿刺から血糖値計測までの一連の処理を他の器具を用意することなく、簡便に行うことができる。また、頁体３６には、穿刺ペン１２及び血糖計１６等の説明が手順に従って表示されていることから、これらの操作器具を簡便に区別して使用することができる。
【００８０】
なお、頁体３６には全ての頁に取り扱い説明が記載されている必要はなく、頁によってはそれ以外の情報（例えば、バージョン情報や連絡先情報等）が表示されていてもよい。第１切欠き５６及び第２切欠き５８は、全ての頁に設けられている必要はなく、例えば図６に示すように、穿刺操作に係る説明が表示されている頁では第１切欠き５６のみを設け、血糖値計測に係る説明が表示されている頁では第２切欠き５８のみを設けてもよい。
【００８１】
頁体３６には穿刺ペン１２、血糖計１６、穿刺針１４、個包装体２２に関する全ての説明が記載されている必要はなく、基本操作を行うことができる程度の要約した説明だけが記載されていてもよい。この場合、万一マニュアルを紛失しても、頁体３６の説明を読めば一通りの操作を行うことができる。
【００８２】
また、操作器具セット１０ａによれば、機能の異なる穿刺ペン１２及び血糖計１６と、穿刺ペン１２に装着される穿刺針１４と、血糖計１６に装着される試験片１８とを有しており、穿刺ペン１２と先端キャップ２０と穿刺針１４の組は黄色に設定されており、血糖計１６と個包装体２２と試験片１８の組は緑色に設定されている。このような色の区別により、操作器具とアタッチメントとの対応が明確になり、アタッチメントの装着操作が容易となっている。
【００８３】
次に、第２の実施形態に係る操作器具セット１０ｂについて、図７〜図１０を参照しながら説明する。操作器具セット１０ｂについて、操作器具セット１０ａと同構成の箇所には同符号を付してその詳細な説明を省略する。
【００８４】
図７に示すように、操作器具セット１０ｂは、収納体１００と、カバー１０２と、頁体１０６とを有する。収納体１００、カバー１０２及び頁体１０６は、前記の収納体３０、カバー３２及び頁体３６に相当する。また、操作器具セット１０ｂは、穿刺ペン１２、穿刺針１４（先端キャップ２０を含む）、血糖計１６及び個包装体２２（試験片１８を含む）を有する。カバー１０２は、収納体１００の一辺１００ａで折り曲げ可能に接続された開閉構造になっており、閉じた状態で収納体１００の上面を覆う。
【００８５】
収納体１００は、前記第１姿穴４０と同形状で穿刺ペン１２を保持する第１姿穴１０８と、前記第２姿穴４４と同形状で血糖計１６を保持する第２姿穴１１０とを有する。第１姿穴４０及び第２姿穴４４は収納体１００の略中央部で矢印Ａ方向に並列して配置されており、穿刺ペン１２及び血糖計１６を横置きの向きで保持することができる。
【００８６】
収納体１００は、さらに、左側における手前側（矢印Ａ２方向）に設けられ、上面に開口する有底の第１アタッチメント収納穴（アタッチメント収納部）１１２と、左側における奥（矢印Ａ１方向）に設けられ、上面に開口する有底の第２アタッチメント収納穴（アタッチメント収納部）１１４と、右側に設けられ、上面に開口する有底のアタッチメント廃棄穴１１６とを有する。
【００８７】
第１アタッチメント収納穴１１２及び第２アタッチメント収納穴１１４は、穿刺針１４及び個包装体２２を複数収納することのできる体積の穴である。
【００８８】
第１アタッチメント収納穴１１２の底面には、穿刺針１４の絵が黄色で表示されており、該穿刺針１４を収納すべき場所であることが明示されている。第２アタッチメント収納穴１１４の底面には、個包装体２２の絵が緑色で表示されており、該個包装体２２を収納すべき場所であることが明示されている。
【００８９】
アタッチメント廃棄穴１１６は、使用後の先端キャップ２０，個包装体２２，穿刺針１４及び試験片１８を一連の作業の終了後に所定の方法により廃棄するまでに一時的に収納しておくためのスペースである。このアタッチメント廃棄穴１１６に先端キャップ２０，個包装体２２，穿刺針１４及び試験片１８を一時的に収納しておくことにより、廃棄時までにこれらの部品を紛失することが防止できる。
【００９０】
第１アタッチメント収納穴１１２、第２アタッチメント収納穴１１４及びアタッチメント廃棄穴１１６は、カバー１０２を閉じることによって上面が塞がれ、内部の部品が確実に収納することができる（図８参照）。
【００９１】
頁体１０６は、収納体１００の上部に設けられ、一辺１００ａにおいてバインダー１２０によって接続され、カバー１０２と同方向に見開き可能になっている。頁体１０６は、前記の頁体３６と同様に、穿刺ペン１２、穿刺針１４、血糖計１６及び試験片１８を用いて血糖値の計測を行う手順に係る説明が表示されており、上面から順に手順にしたがって説明がなされている。
【００９２】
また、頁体１０６には、第１姿穴１０８に保持された穿刺ペン１２が視認可能なように平面視で第１姿穴１０８を露呈する第１露呈孔１２２と、第２姿穴１１０に保持された血糖計１６が視認可能なように平面視で第２姿穴１１０を露呈する第２露呈孔１２４とが設けられている。第１露呈孔１２２及び第２露呈孔１２４は、第１姿穴１０８及び第２姿穴１１０の四方を囲う切欠きである。
【００９３】
このような第１露呈孔１２２及び第２露呈孔１２４によれば、操作者は実物の穿刺ペン１２及び血糖計１６が、あたかも頁体１０６に印刷表示されているように認識することができ、頁体１０６に表示された説明と実物とを見比べる手間が大幅に低減され、初心者又は高齢者であっても操作器具の操作を簡便に行うことができる。また、操作器具に関する説明を直接的に理解することができる。
【００９４】
また、図９及び図１０に示すように、複数の頁体１０６のうち、特に注意すべき説明が表示されている頁１０６ａの表面と、その隣接する頁１０６ｂの裏面には、それぞれに接続された補助頁１２６が設けられている。補助頁１２６は、頁１０６ａに接続された説明部１２６ａと、該説明部１２６ａと頁１０６ｂとを接続する支持部１２６ｂとを有する。補助頁１２６は、頁１０６ｂを開いたときに、頁１０６ａ及び１０６ｂに対して傾斜し、又は起立し、説明部１２６ａに表示された特定の説明を目立たせることができる。このような補助頁１２６は、一連の血糖値計測操作において、特に重要な説明に用いるとよい。
【００９５】
このように、第２の実施形態に係る操作器具セット１０ｂによれば、前記の操作器具セット１０ａと同様に、穿刺ペン１２及び血糖計１６を保持する収納体１００と取り扱いに係る説明が表示された頁体１０６とが一体的に構成されていることにより、説明の部分と操作器具とを見比べる手間が大幅に低減され、初心者又は高齢者であっても操作器具の操作を簡便に行うことができる。また、穿刺ペン１２及び血糖計１６は、第１姿穴１０８及び第２姿穴１１０によって保持されるとともに上面はカバー１０２で覆われ、安定して収納することができる。
【００９６】
さらに、血糖値測定と関連して使用されるインスリン投与器（操作器具）等についても合わせて収納し、説明を示すようにしてもよい。この場合、インスリン投与器等については、例えば青系統の色とし、穿刺ペン１２等の黄色と、血糖計１６等の緑色と区別するとよい。
【００９７】
本発明に係る操作器具セットは、インスリン投与器等を含め、上述の実施の形態に限らず、本発明の要旨を逸脱することなく、診断や治療に用いる操作器具等、種々の構成を採り得ることはもちろんである。
【図面の簡単な説明】
【００９８】
【図１】穿刺ペン、穿刺針及び該穿刺針を収納する容器の平面図である。
【図２】血糖計、試験片及び該試験片を収納する個包装体の斜視図である。
【図３】第１の実施形態に係る操作器具セットの斜視図である。
【図４】カバーを閉じた状態の第１の実施形態に係る操作器具セットの斜視図である。
【図５】切欠きが２つの頁体の平面図である。
【図６】切欠きが１つの頁体の平面図である。
【図７】第２の実施形態に係る操作器具セットの斜視図である。
【図８】カバーを閉じた状態の第２の実施形態に係る操作器具セットの斜視図である。
【図９】補助頁のある頁体を開いた状態で表側から見た第２の実施形態に係る操作器具セットの斜視図である。
【図１０】補助頁のある頁体を開いた状態で裏側から見た第２の実施形態に係る操作器具セットの斜視図である。
【符号の説明】
【００９９】
１０ａ、１０ｂ…操作器具セット            １２…穿刺ペン（操作器具）
１４…穿刺針（アタッチメント）            １６…血糖計（操作器具）
１８…試験片（アタッチメント）            ２０…先端キャップ
２２…個包装体（アタッチメント）          ３０、１００…収納体
３２、１０２…カバー                      ３６、１０６…頁体
４０、４４、１０８、１１０…姿穴          ４８、５０…補助姿穴
５２、５４…袋部（アタッチメント収納部）  ６０、６８…台枠表示（第１枠表示）
６２、７０…説明枠表示（第２枠表示）      １１２、１１４…アタッチメント収納穴
１２２、１２４…露呈孔                    １２６…補助頁
【図１】
2008228885.tif 000003
【図２】
2008228885.tif 000004
【図３】
2008228885.tif 000005
【図４】
2008228885.tif 000006
【図５】
2008228885.tif 000007
【図６】
2008228885.tif 000008
【図７】
2008228885.tif 000009
【図８】
2008228885.tif 000010
【図９】
2008228885.tif 000011
【図１０】
2008228885.tif 000012